(57)【要約】【課題】世界中の何百万人もの人々は、線の長さ、円及び円弧の半径や直径等並びに角度等の測定や、線、円、円弧、角等の幾何学図形の作図を行うために、定規、コンパス、分度器等の幾何学的道具を使用している。しかし、これらの道具の利用者は、従来の道具の効率の悪さに伴う面倒や手間を感じている。【解決手段】定規、コンパス、及び分度器にとって代わるであろう新しい幾何学的道具の基本モデルグループ（Ａ、Ａ１、Ｂ、Ｂ１、Ｂ２、Ｂ３、Ｃ）は、図１〜図４に詳しく示すように、新規に発明された座標穴の簡易化機構を採用して発明された。本発明によれば、時間及び手間の削減、効率の向上という効果を奏することができる。新たに発明された座標穴の簡易化機構は、現在全世界で使用されている既存の幾何学的道具よりも低価格で提供され、既存の幾何学的道具の全てに取って代わり、世界中の子供達にとって非常に有益な道具となるであろう。【選択図】図１【特許請求の範囲】
【請求項１】
座標穴付き定規。
【請求項２】
センターレッグアセンブリ付きコンパス。
【請求項３】
傾斜スライドを備える
請求項２に記載のセンターレッグアセンブリ付きコンパス。
【請求項４】
座標穴を備える
請求項２又は３に記載のセンターレッグアセンブリ付きコンパス。
【請求項５】
簡易化機構を備える
請求項２から４のいずれかに記載のセンターレッグアセンブリ付きコンパス。
【請求項６】
座標穴及び簡易化機構付き分度器。
【発明の詳細な説明】
【技術分野】
【０００１】
本発明は、線の長さ、円及び円弧の半径や直径等並びに角度等の測定や、線、円、円弧、角等の幾何学図形の作図を行うための定規、コンパス、分度器等の新規な幾何学的道具に関する。
【背景技術】
【０００２】
現在、全世界で使用されている従来の幾何学的道具には以下のような道具が含まれる。
（１）線の長さの測定及び線の描画を行うための定規
（２）円弧の描画を行うためのコンパス
（３）角度の測定及び角の描画を行うための分度器
これらの道具は、全て従来の方法で作製される共に取り扱われ、幾何学図形の測定作業や描画作業を遂行している。すなわち、現在、幾何学図形の描画は、上記の道具を用いて測定及び描画という２段階の手間のかかる作業を行うことによって実現されている。特に、円弧を描く際には、２種類の道具、つまり、定規とコンパスとを別々に使用しなければならない。これに対し、定規、コンパス、分度器にとって代わる、本発明に係る幾何学的道具の基本モデル（基本モデルＳ−Ａ、Ａ１、Ｂ、Ｂ１、Ｂ２、Ｂ３及びＣ）は、簡易化座標穴機構が採用されているため、マーキングや描画を一度の作業で行うことができる。座標穴のミス防止機構は、上述のような新しい道具を作製する際に使用される全く新しい機構であり、全世界で実際に使用された例はない。したがって、本発明に完全に対応する先行技術は存在しない。しかし、本発明は、現在使用されている定規、コンパス、分度器等の従来のあらゆる幾何学的道具に取って代わるため、それらの道具が本発明の従来技術として見なされる可能性もある。
【発明の開示】
【発明が解決しようとする課題】
【０００３】
教育及び工業等の分野において、世界中の何百万人もの人々は、線の長さ、円及び円弧の半径や直径等並びに角度等の測定や、線、円、円弧、角等の幾何学図形の作図を行うために、定規、コンパス、分度器等の幾何学的道具を使用している。そして、これらの道具の利用者は、これらの従来の道具を使用する際に、これらの道具の効率の悪さに伴う面倒や手間を経験している。特に、就学幼児達や就学児童達は上記の道具の使用に対してよりストレスや煩わしさを感じているが、彼らはそのような問題について取り上げて話すことはない。その理由は、おそらく、既存の定規、コンパス、分度器が最終的な形状として確立されたものであり、さらなる発明の余地はないと利用者が思い込んでいるからであろう。このため、これら従来の道具に対して全く新しい形状を持つ道具が発明されることはなかった。我々、３人の発明者は、上記の問題に気付き、問題解決を試みた。我々は、全く新しい機構が発明されるべきであり、そのような機構を幾何学的道具に採用すれば、上記問題を解決することができると考えた。このような考え方に則って、我々は、新しい幾何学的道具を作製するために過去数年を費やした結果、遂に下記に示す新規な座標穴の簡易化機構を発明した。そして、この新しい座標穴の簡易化機構を採用することにより、我々は、下記に示すように、定規、コンパス、及び分度器をグループとした幾何学的道具の基本モデルを発明した。
【課題を解決するための手段】
【０００４】
定規、コンパス、分度器のような新たな幾何学的道具を作製するために新たに発明された座標穴の簡易化機構
本発明によれば、定規や分度器で測定した後に線、円、弧、角等の幾何学図形の作図を行うのではなく、小さな座標穴によって直接作図を行うことができる。これらの座標穴は、適切な大きさ及び形状を有し、道具本体の適切な位置に設けられる。座標穴は、厳密な距離及び角度に設けられ、完全な簡易化機構として機能する。なお、道具には別の簡易化機構を設けてもよい。
【発明の効果】
【０００５】
これにより、最大限の正確さで部分測定を行い、非常に簡単に、素早く、そして正確に、線、円、弧、角の描画を行うことができる。
【発明を実施するための最良の形態】
【０００６】
本発明に係る座標穴の簡易化機構を応用した新しい幾何学的道具の基本モデルの３グループ（モデルＡ、Ｂ、Ｃグループ）について
本発明の座標穴の簡易化機構を利用して、我々は、定規、コンパス、分度器にとって代わる、いくつかの新しい幾何学的道具を発明した。そして、我々は、新しく発明した幾何学的道具の基本モデルの中から、定規、コンパス及び分度器にとって代わる新たな幾何学的道具である基本モデルＡ、Ｂ、Ｃグループを選択し、上記の座標穴の簡易化機構と共に特許出願を申請した。これらの道具は全て、線の長さ、円及び円弧の半径や直径等並びに角度等の測定や、線、円、円弧、角等の幾何学図形の作図を非常に単純な作業で行うために発明された。特に、円弧を描画する際、新たに発明されたコンパスを使えば、定規とコンパスという２つの道具を別々に用いてそれぞれ別の作業を行う必要がなくなる。定規を用いて測定という一つの作業を行い、そして、コンパスを用いて別の作業として円または弧を描くといった従来の方法とは異なり、本発明の道具によれば、それら別々の作業を行う必要がない。測定部は本発明の道具の重要な部分であり、この単独型の新しい道具を用いれば、測定及び描画が同時にかつ非常に簡単に行える。
（１）基本モデル−Ａ、Ａ１：座標穴付き定規
（２）基本モデル−Ｂ、Ｂ１、Ｂ２及びＢ３：センターレッグアセンブリ付きコンパス（傾斜スライド、座標穴及び簡易化機構の有無は場合により異なる）
（３）基本モデル−Ｃ：座標穴及び簡易化機構付き分度器
【０００７】
本発明に係る幾何学的道具の基本モデルの一般的な形態
道具のパーツは全て、アルミニウム、金属、プラスチック、または任意の材料で形成される。全ての道具の測定部（取外し可能及び取替え可能な定規の部分）は、薄いスプリングシートで構成することもできる。
【０００８】
作図道具の円形穴には、金属または非金属のスリーブまたはリングを設けることができる。これにより、必要に応じて、ペン、鉛筆、ボールペン、マイクロチップ、金属ピン、スケッチペン等のマーキング及び描画道具、またはその他任意のマーキング道具及び描画道具を簡単にかつ失敗することなく用いることができる。また、上記のようなリングを備えることで、座標穴の損耗（摩耗、裂傷）を防ぎ、座標穴の耐久性を確保することができる。円形座標穴のリングに雌ねじまたは雄ねじ（ネジ）を設けることにより、対応する雌ねじまたは雄ねじを有する任意の特定のマーキング道具、作図道具及び切断道具にそのリングを固定することができる。
【０００９】
道具に設ける座標穴は矩形、三角形、または、適切であればどのような形状であってもよい。大きさは、望ましい道具、例えば、ペン、鉛筆、ボールペン、マイクロチップ、金属ピン、スケッチペン、またはその他任意のマーキング道具、描画道具及び切断道具等のプロッタ（マーカー）によって異なる。
【００１０】
本発明に係る新規の道具における取外し及び取替え可能な定規体は、１５ｃｍまでの線の長さの測定及び１５ｃｍまでの線の描画に対応することができるように形成される。この定規体は、必要に応じて、いかなる長さにも設計することができる。例えば、３０ｃｍ、４０ｃｍ、６０ｃｍ等であってもよい。非常に小さな円及び円弧を非常に簡単かつ手軽に描くために、定規体の長さを１ｃｍ、２ｃｍ、３ｃｍ、４ｃｍ、５ｃｍ等、必要に応じて短くしてもよい。これにより、センターレッグアセンブリ一式とそれに対応するパーツのみを用いて、必要に応じて短い定規体または長い定規体を取替えることにより、我々は、必要な半径に応じて非常に小さな円弧または非常に大きな円弧を手軽に描画することができる。
【００１１】
本発明に係る道具の定規部の幅は、現在使用されている従来の定規の幅より狭くすることも可能である。具体的には、定規体は、スプリングプレートの細片、または、任意の非常に狭幅のプラスチックまたは金属または材料で形成される。
【００１２】
本発明の道具は、ＦＰＳ単位系（インチによる測定目盛）に合わせて作製してもよい。
【００１３】
分度器の基本モデル（モデル−Ｅ）は、最大３６０度、１８０度、またはいかなる角度の測定及びいかなる角の描画をすることができるように作製することができる。
【００１４】
（１）基本モデル−Ａ：座標穴及び簡易化機構付き定規（図１上を参照）
本発明の定規用基本モデル−Ａは、上述の本発明に係る座標穴の簡易化機構を採用することにより、最大１５ｃｍまで使用可能となるように作製される。この道具では、座標穴は完全にミス防止対策として構成される。これにより、非常に簡単かつ非常に素早く１５０の異なる長さ（１ｍｍ〜１５０ｍｍ）のマーキング及びそのような長さの線の描画をすることができる。この定規体には６０個の小さな座標穴が１ｃｍ間隔に４列に配列される。これにより、１センチ単位でマーキングを行うことができる。定規体が厚い材料で作製されている場合、座標穴は円錐形（先細りの穴）であってもよい。これに対し、定規体が非常に薄いスプリングシートで構成されている場合、リング付きの円柱状の穴を設けることができる。これにより、必要に応じて、ペン、鉛筆、ボールペン、マイクロチップ、金属ピン、スケッチペン等のマーキング道具及び描画道具、またはその他任意のマーキング道具及び描画道具を簡単にかつ失敗することなく用いることができる。さらに１０個の小さな座標穴（円錐形）を定規体の一端にミリ単位で設けることで、ミリ単位のマーキングを行うことができる。センチ単位及びミリ単位のマーキングを組み合わせることで、必要な長さの線を正確に引くことができる。この作業は、従来の定規を用いた方法で必要とされた作業に比べて、素早く、簡単に、全く手間なく遂行することができる。また、別個の金属製レッグポインタを用いれば、その定規は円や弧を描画するためのコンパスとして使用することもできる。このために、さらに１０個のポインタホール（コンパスの軸足として金属製レッグポインタを設置するための円柱状の穴）が同じ定規体の他端に設けられる。したがって、このモデルには合計８０個の座標穴が４列に配列される。
【００１５】
基本モデル−Ａ１：センターレッグアセンブリ、座標穴及び簡易化機構付きコンパス（図１下参照）
本発明に係る座標穴の簡易化機構を採用することにより、上記の定規（基本モデル−Ａ）を下記に説明するように変更して、１５ｃｍまで使用可能なＭＯＤＥＬ−Ａ１のコンパスとして使用することができる。このコンパスでは、完全簡易化機構により、非常に簡単にかつできるだけの正確性をもって必要な半径に応じた円及び円弧が描画できる。このコンパスには１４５個の小さい座標穴が設けられており、このコンパスにより６ｍｍ〜１５０ｍｍの範囲において１ミリ単位で測定及び描画を行うことができる。そして、完全簡易化機構と共に設けられる１４５個の座標穴の中央にレッグアセンブリが固定される。螺旋状のスプリングを有するレッグアセンブリの中央には金属製レッグポインタ（針）がコンパスの軸足として設けられる。そして、このポインタは、Ｚ軸（上下）に沿ってポインタを垂直方向に移動させる螺旋状のスプリングに挿入される。リング付きの１４５個の小さな座標穴は、描画を行う際のコンパスの脚として機能する。つまり、この座標穴には、完全簡易化機構が適用され、ペン、鉛筆、ボールペン、マイクロチップ、金属ピン、スケッチペン等のマーキング道具及び描画道具、またはその他任意のマーキング道具及び描画道具が挿入される。これにより、円及び円弧を描画することができる。座標穴の簡易化機構は、５ｍｍ〜１５０ｍｍの半径を有する円を測定及び描画するために設けられる。螺旋状のスプリングを有するレッグアセンブリの代わりに、アセンブリに適切な変更を加えて、平坦状のスプリングまたはその他任意の形状のスプリングを有するレッグアセンブリにしてもよい。なお、レッグアセンブリはスプリングを有さなくてもよい。
【００１６】
（２）基本モデル−Ｂ：センターレッグアセンブリ付きコンパス（傾斜スライド、座標穴及び簡易化機構の有無は場合により異なる）（図２を参照）
我々は、上述の本発明の座標穴の簡易化機構を採用することにより、最大１５ｃｍまで使用可能な新しいコンパス（ＭＯＤＥＬ−Ｂ）を発明した。コンパスは、主に、（１）スライド収容部と、（２）傾斜スライドと、（３）レッグアセンブリと、（４）取替え可能な定規体とを備える。定規体には１５個のリング付きの座標穴（描画する際にコンパスの脚として機能する）が完全簡易化機構として１ｃｍ間隔に設けられ、この座標穴には、鉛筆、ボールペン、マイクロチップ、金属ピン、スケッチペン等のマーキング道具及び描画道具、またはその他任意のマーキング道具及び描画道具が挿入される。これにより、円及び円弧を描画することができる。なお、任意で、同じ定規体に異なる大きさの座標穴を２列または３列に配列してもよい。これにより、同じ定規体でサイズの異なるプロッタ（描画道具）を用いることができる。
【００１７】
定規体、傾斜スライド及びレッグアセンブリは、スライド収納部と共に組み立てられる。センターレッグアセンブリ（コンパスの軸足として機能する螺旋状のスプリングを有する金属製のポインタとしての金属製の針）は、基本モデルＡ１と同様に、レッグアセンブリのスリーブに固定される。レッグアセンブリに設けられる螺旋状のスプリングは、金属製のレッグポインタをＺ軸（上下）に沿って垂直方向に移動させることができる。傾斜スライド機構により、傾斜スライド全体がＸ軸及びＹ軸に沿って固定比率（望ましくは３：１から４：１の間の任意の比率）で傾斜移動（上下及び左右移動）するため、レッグアセンブリ全体は最大移動距離９ｍｍの範囲内で必要なセンチ単位未満の値でＸ軸に沿って左右に移動できる。そして、レッグアセンブリは、傾斜移動した後、アセンブリに設けられる係止機構により確実に固定される。このスライド機構により、レッグアセンブリの中央部に固定された金属製レッグポインタの中央部も、最大移動距離９ｍｍの範囲内で必要なセンチ単位未満の値で移動することができる。Ｙ：Ｘの比率が増加すると傾斜スライドの移動距離も増加する。これにより、正確性が向上し、取り扱いも非常に簡単になる。推奨するＹ：Ｘ比率は３：１である。これは、傾斜スライドが３ｍｍ垂直移動する毎に、金属製レッグポインタが１ｍｍ水平移動することを意味する。したがって、傾斜スライドの全移動距離は２７ｍｍ（９×３）である。
【００１８】
傾斜スライド機構は、センターポイントを間違いなく、正確に、スムーズに、そして素早く必要な位置へ移動させて、確実に固定することを主な役目とする。つまり、傾斜スライド機構はレッグアセンブリ全体を動かして、非常に正確に、簡単に、そして素早く金属センターレッグポインタを必要なセンチ単位未満の値の位置に移動させる。同様の目的を達成するため、別の機構を導入することもできる。例えば、ギヤアセンブリ機構、レバーアセンブリ機構、ネジアセンブリ機構、またはその他任意の機構等を用いることができる。螺旋状のスプリング付きのコンパスの基本モデル−Ｂについても、傾斜スライドを省略して変更を加えることができる。また、基本モデル−Ｂは、下記の詳細に示すように、基本モデル−Ｂ１、基本モデル−Ｂ２及び基本モデル−Ｂ３として構成することができる。
【００１９】
基本モデル−Ｂ１：（図３上を参照）
このモデルでは、軸足アセンブリをＸ軸に沿って水平方向（左右）に直接移動させることにより、レッグアセンブリ全体を最大移動距離９ｍｍの範囲内で必要なセンチ単位未満の値で水平移動（左右）させることができる。
【００２０】
基本モデル−Ｂ２：（図３下を参照）
このモデルでは、定規体の左端に小さなフォーク状の水平スライドを設けて、最大移動距離９ｍｍの範囲内で、Ｘ軸に沿って水平スライドを水平方向（左右）に移動させる。定規体には水平スライドが取り付けられているため、定規体を水平移動させることもできる。これにより、最大移動距離９ｍｍの範囲内で必要なセンチ単位未満の値分まで移動させてから、強固に固定することができる。したがって、このモデルでは、センターレッグアセンブリ全体が全く移動することなく、センターレッグアセンブリは常に一定のセンターポイントで固定される。定規体全体は、最大移動距離９ｍｍの範囲内で必要なセンチ単位未満の値で移動可能である。
【００２１】
基本モデル−Ｂ３：（図４上を参照）
このモデルでは、一個のリング付きの小さな座標穴（任意で、２個か３個の異なる大きさの座標穴を設けることも可）と、レッグアセンブリとが定規体に設けられている。道具の定規体自体を横方向（左右）に必要な位置まで動かして調整することにより、必要とするセンチ単位未満の値分の移動が行われる。位置調整の後、定規体は強固に固定される。このモデルでは、定規体が、横方向の長全体の方向に沿ってレッグアセンブリの下を水平方向に摺動する。したがって、このモデルにおいても、センターレッグアセンブリ全体は全く移動せず、センターレッグアセンブリは常に一定のセンターポイントで配置される。定規体のみが最大１５０ｃｍまで移動可能となる。モデルＢグループに属する取外し可能な定規体は全て、スプリングシート、透明プラスチック、アルミニウム、金属、またはその他任意の材料で形成することができる。道具のその他のパーツは、プラスチック、アルミニウム、金属、またはその他任意の材料で形成することができる。
【００２２】
基本モデルＢ３においては、定規体を薄いスプリングシートで構成する代わりに、一個のリング付き座標穴を有する小さなロッド（いかなる断面においても小さなロッド）で構成してもよい。選択した定規体の断面形状に応じて、対応する道具のその他の部分に単純な変更を加えることができる。
【００２３】
（５）基本モデル−Ｃ：座標穴及び簡易化機構付き分度器（図４下参照）
我々は、上述の本発明の座標穴の簡易化機構を利用して、３６０度まで使用可能な分度器  （ＭＯＤＥＬ−Ｃ）を発明した。この分度器には完全簡易機能を有するマーキングホール（座標穴）が設けられており、この分度器により、非常に簡単に、素早く、効率的に、最大の正確性をもって３６０度までの角度の測定及びそのような角の描画をすることができる。この３６０度の分度器には、３６個のメイン座標穴が１０度の間隔で設けられている。左側には９個のサブ座標穴が右回り方向に１度の間隔で設けられている。右側には９個のサブ座標穴が左回り方向に１度の間隔で設けられている。そして、一個の座標穴（任意の穴）が中央に設けられている。すなわち、０度〜３６０度まで測定可能なこのモデルには、合計５４個または５５個のリング付きまたはリングなしの座標穴が、右回り及び左回り方向に設けられている。角度の測定は、１０度間隔及び１度間隔で行うことができる。なお、左右のサブ座標穴を適切に増やせば、１度単位未満の値の測定及びマーキングを行うこともできる。最大の正確性をもって描画作業が遂行できるように、サブ座標穴（７＋７）はメイン座標穴の外側の軌道に配置される。反対に、大きな直径を有する分度器を構成する場合は、全てのサブ座標穴（９＋９）をメイン座標穴の内側の軌道に配置することもできる。この場合、サブ座標穴の左側及び右側の延長部分を排除して、完全な円形として分度器を構成することができる。
【００２４】
また、分度器に、リング付きまたはリングなしの座標穴を３７個または３８個設けて、１８０度までの角度測定を行うことができるようにしてもよい。
【００２５】
分度器体は、透明の薄いプラスチック、アルミニウム、他の金属、またはその他任意の材料で形成することができる。分度器体が透明なプラスチックで構成される場合、上述の通り、座標穴には金属製のリングが設けられる。
【００２６】
その他の幾何学的道具の発明
線の長さ、円及び円弧の半径や直径等並びに角度等の測定や、線、円、円弧、角等の幾何学図形の作図を行うために作製される幾何学的道具の上記３種類の基本モデルの作業機構を基に、さらに、新しい幾何学的道具を作製することが可能である。例えば、基本モデル−Ａ１については、任意の材料で構成される定規体の小さなストリップに３０個のリング付き座標穴を０．５ｃｍ間隔で配置して、最大１５ｃｍまで使用可能にすることができる。同様に、基本モデル−Ｂの定規体についても、０．５ｃｍ間隔で座標穴を設けることができる。このような変更を加えることにより、傾斜スライドの全長を１５ｍｍ短くすることができる。また、傾斜スライドの垂直方向の最大移動距離は１２ｍｍ（４×３）までのみとなり、レッグアセンブリの水平方向の最大移動距離は５ｍｍまでのみに制限される。モデル−Ａ及びモデル−Ｂを組み合わせることで、限られた数の座標穴が共通の定規体に設けられる一体型の新しい道具を作製することも可能である。
【００２７】
下記に示す本発明の道具及び道具のパーツのセットは幼児を対象に提案される
セット１
１）長さ１５０ｍｍまでの定規（ＭＯＤＥＬ−Ａ）   １
２）モデル−Ａ１用のレッグアセンブリ             １
３）長さ１５０ｍｍまでの定規体（モデル−Ａ１）   １
４）長さ６０ｍｍまでの定規体（モデル−Ａ１）     １
５）長さ３０ｍｍまでの定規体（モデル−Ａ１）     １
６）中サイズの分度器（モデル−Ｃ）               １
【００２８】
下記に示す本発明の道具及び道具のパーツのセットは児童を対象に提案される
セット２
１）１５０ｍｍまでの定規体（モデル−Ａ１）       １
２）モデル−Ｂ用のレッグアセンブリ               １
３）傾斜スライド及びスライド収納部               １
４）長さ１５０ｍｍまでの定規体（モデル−Ｂ）     １
５）長さ６０ｍｍまでの定規体（モデル−Ｂ）       １
６）長さ３０ｍｍまでの定規体（モデル−Ｂ）       １
７）大サイズの分度器（モデル−Ｃ）               １
【００２９】
本発明の道具の利点
（１）本発明の全道具（モデルＡ及びモデルＢ群）を用いて描画された円や弧は、当然、明確な中心点を有している。これは、道具に備えられた新規な機構を用いて描画されるからである。中心点の有無について言及するのは、既存の道具において、コンパスを使わずにして小さな直径の円を描ける道具はほとんど存在しないからである（直径の異なる円を４、５種類描くことができる道具もあるが、最大直径は定規の幅よりわずかに小さくなる）。既存の道具で描画する方法においては、道具の本体に円形のくり抜きがあり、円はこのくり抜きに沿って直接的に描画される。しかし、これらの円には当然、中心点がない。したがって、中心点に印を付けたい場合、中心点を見つけるという面倒な作業が必要となる。しかし、本発明の道具では、中心点を見つけるという問題は生じない。なぜなら、座標穴という全く新しい機構を採用することによりこの新しい道具は作製され、この新しい機構により円や弧が描画されるからである。
（２）ペン、鉛筆、ボールペン、マイクロチップ、金属ピン、スケッチペン等の任意のマーキング道具及び描画道具、またはその他任意のマーキング及び描画道具を用いることができる。
（３）１回の設定するだけで、直径の異なる同心円をできるだけ多く描画することができる。
（４）コンパスの脚として特別の切断道具を用いれば、紙、シーツ、包装紙、その他任意の薄い材料等を円形に切断することができる。
（５）産業利用に適するように大きなサイズで道具を作製することができる。
（６）道具の保守及び修理が非常に簡単である。
（７）道具の寿命が長い。
（８）信頼性及び正確性が増している。
（９）大きな半径の円や円弧を描画する際に、付属品を使用する必要性がない。
（１０）円弧を描画する際に、２つの道具を扱う必要性がない。
（１１）正確性や速度において効率性が向上している。
（１２）箱に多くの付属品が収納されているような既存の道具の価格に比べると、本発明の道具は低価格である。
【００３０】
本発明に係る座標穴の簡易化機構及び本発明のモデルＡ、Ｂ、Ｃ群の作業機構を採用した幾何学的道具は、現在全世界で使われている既存の幾何学的道具全て（例えば、定規、コンパス、分割コンパスや、長さの異なるコンパス、分割コンパス、その他の付属品の道具、分度器等を含む道具箱等）に取って代わることになるであろう。本発明の道具により、非常に簡単に素早く、付属品を用いることなく、非常に大きな半径を有する円及び円弧の半径や直径の測定及そのような円及び円弧の描画をすることができる。したがって、付属品に依存する必要がない。同様に、本発明の道具により、非常に簡単に素早く、付属品を用いることなく、非常に小さな半径を有する円及び弧の半径や直径の測定及びそのような円や円弧の描画をすることができる。
【００３１】
我々は、本発明の幾何学的道具が間もなく世界中の何百万もの子供達に入手可能となることを望む。
【図面の簡単な説明】
【００３２】
【図１】基本モデル−Ａ及びＡ１を示す図
【図２】基本モデル−Ｂ示す図
【図３】基本モデル−Ｂ１及びＢ２示す図
【図４】基本モデル−Ｂ３及びＣ示す図
【図１】
2008507427.tif 000002
【図２】
2008507427.tif 000003
【図３】
2008507427.tif 000004
【図４】
2008507427.tif 000005
【国際調査報告】
2008507427.tif 000006
2008507427.tif 000007
2008507427.tif 000008